(57)【特許請求の範囲】
【請求項１】
画像の配信要求を出力する第１端末、及び、
複数種類の前記画像の模様及び色彩の少なくとも一方を示す属性情報を記憶する属性情報記憶部を有し、識別情報に対応する前記属性情報により規定される前記画像を、前記画像のサイズを指定する指定情報に基づいて前記画像を表示する第２端末、
と通信可能な表示装置であって、
前記第１端末から前記画像の配信要求を受信した場合に、
前記第２端末に対して、前記指定情報、及び、前記識別情報を配信する、
ことを特徴とする表示装置。
【請求項２】
前記第１端末は、
前記指定情報を出力可能であり、
前記表示装置は、
前記第１端末から前記指定情報を受信した場合に、
前記第２端末に対して、前記指定情報を配信する、
ことを特徴とする、請求項１に記載の表示装置。
【請求項３】
前記第２端末は、
前記画像の模様及び色彩の少なくとも一方を示す属性情報を記憶する属性情報記憶部を有し、
前記指定情報及び前記属性情報に基づいて前記画像を表示する、
ことを特徴とする、請求項１に記載の表示装置。
【請求項４】
第１端末から出力される、画像の配信要求を受信する受信部と、
前記受信部が前記画像の配信要求を受信した場合に、
複数種類の前記画像の模様及び色彩の少なくとも一方を示す属性情報を記憶する属性情報記憶部を有し、識別情報を受信した場合に、前記識別情報に対応する前記属性情報により規定される前記画像を、前記画像のサイズを指定する指定情報に基づいて前記画像を表示する第２端末に対して、前記画像の表示要求を配信する配信部と、
を備え、
前記配信部は、
前記第２端末に対して、
前記指定情報、及び、前記識別情報を含む前記画像の表示要求を配信する第１配信モードと、
前記第２端末に対して、前記画像として表示すべき各画素の階調を指定する画像情報を含む前記画像の表示要求を配信する第２配信モードと、
を含む複数の配信モードにより、前記画像の表示要求の配信が可能である、
ことを特徴とする表示装置。
【請求項５】
前記第１端末に対して、前記指定情報を配信する、
ことを特徴とする、請求項１乃至４のうち何れか１項に記載の表示装置。
【請求項６】
投射面に前記画像を投射する投射部を備える、
ことを特徴とする、請求項１乃至５のうち何れか１項に記載の表示装置。
【請求項７】
画像の配信要求を出力する第１端末と、
複数種類の前記画像の模様及び色彩の少なくとも一方を示す属性情報を記憶する属性情報記憶部を有し、識別情報に対応する前記属性情報により規定される前記画像を、前記画像のサイズを指定する指定情報に基づいて前記画像を表示する第２端末と、
前記第１端末及び前記第２端末と通信可能であって、
前記第１端末から前記画像の配信要求を受信した場合に、
前記第２端末に対して、前記指定情報、及び、前記識別情報を配信する表示装置と、
を備える、
ことを特徴とする表示システム。
【請求項８】
画像の配信要求を出力する第１端末、及び、
複数種類の前記画像の模様及び色彩の少なくとも一方を示す属性情報を記憶する属性情報記憶部を有し、識別情報に対応する前記属性情報により規定される前記画像を、前記画像のサイズを指定する指定情報に基づいて前記画像を表示する第２端末、
と通信可能な表示装置の制御方法であって、
前記第１端末から前記画像の配信要求を受信した場合に、
前記第２端末に対して、前記指定情報、及び、前記識別情報を配信する、
ことを特徴とする表示装置の制御方法。
【発明の詳細な説明】
【技術分野】
【０００１】
本発明は、表示装置、表示システム、及び、表示装置の制御方法に関する。
【背景技術】
【０００２】
端末装置に対して画像データを配信する配信装置が各種提案されている（例えば、特許文献１）。
【先行技術文献】
【特許文献】
【０００３】
【特許文献１】特開２０１５−０２３４６６号公報
【発明の概要】
【発明が解決しようとする課題】
【０００４】
ところで、従来の技術のように、配信サーバが端末装置に対して画像データを配信する場合、ネットワーク負荷が増大するという問題が存在した。
【０００５】
本発明は、上述した事情に鑑みてなされたものであり、ネットワーク負荷を抑制しつつ画像を配信する技術の提供を、解決課題の一つとする。
【課題を解決するための手段】
【０００６】
以上の課題を解決するため、本発明に係る表示装置は、画像の配信要求を出力する第１端末、及び、前記画像のサイズを指定する指定情報に基づいて前記画像を表示する第２端末、と通信可能な表示装置であって、前記第１端末から前記画像の配信要求を受信した場合に、前記第２端末に対して、前記指定情報を配信する、ことを特徴とする。
【０００７】
本発明では、表示装置から第２端末に対して、画像のサイズを指定する指定情報を配信するため、表示装置から第２端末に対して、画像自体を配信する場合と比較して、ネットワーク負荷を抑制することができる。
【０００８】
また、上述した表示装置において、前記第１端末は、前記指定情報を出力可能であり、前記表示装置は、前記第１端末から前記指定情報を受信した場合に、前記第２端末に対して、前記指定情報を配信する、ことを特徴とすることが好ましい。
【０００９】
この態様によれば、第２端末に表示される画像のサイズを、第１端末から指定することができるので、第１端末から指定できない場合と比較して、第１端末の利用者の利便性を向上させることができる。
【００１０】
また、上述した表示装置において、前記第２端末は、前記画像の模様及び色彩の少なくとも一方を示す属性情報を記憶する属性情報記憶部を有し、前記指定情報及び前記属性情報に基づいて前記画像を表示する、ことを特徴とすることが好ましい。
【００１１】
この態様によれば、第２端末は、指定情報と属性情報とに基づいて画像を表示することができるため、第２端末に対して画像自体が配信される場合と比較して、ネットワーク負荷を抑制することができる。
【００１２】
また、本発明に係る表示装置は、第１端末から出力される、画像の配信要求を受信する受信部と、前記受信部が前記画像の配信要求を受信した場合に、第２端末に対して、前記画像の表示要求を配信する配信部と、を備え、前記配信部は、前記第２端末に対して、前記画像のサイズを指定する指定情報を含む前記画像の表示要求を配信する第１配信モードと、前記第２端末に対して、前記画像を示す画像情報を含む前記画像の表示要求を配信する第２配信モードと、を含む複数の配信モードにより、前記画像の表示要求の配信が可能である、ことを特徴とする。
【００１３】
本発明では、表示装置から第２端末に対して、画像のサイズを指定する指定情報を配信する第１配信モードを有するため、第１配信モードを有しない場合、すなわち、表示装置から第２端末に対して画像自体を配信する第２配信モードのみを有する場合と比較して、ネットワーク負荷を抑制することができる。
【００１４】
また、上述した表示装置は、前記第１端末に対して、前記指定情報を配信する、ことを特徴とすることが好ましい。
【００１５】
この態様によれば、第１端末において、第２端末で表示される画像を確認することができるため、第１端末において、第２端末で表示される画像を確認できない場合と比較して、第１端末の利用者の利便性を向上させることができる。
【００１６】
また、上述した表示装置は、投射面に前記画像を投射する投射部を備える、ことを特徴とすることが好ましい。
【００１７】
この態様によれば、第２端末で表示される画像が、投射面においても表示されるため、当該画像が投射面に表示されない場合と比較して、第１端末の利用者または第２端末の利用者が、当該画像をより容易に視認することが可能となる。
【００１８】
また、本発明に係る表示システムは、画像の配信要求を出力する第１端末と、前記画像のサイズを指定する指定情報に基づいて前記画像を表示する第２端末と、前記第１端末及び前記第２端末と通信可能であって、前記第１端末から前記画像の配信要求を受信した場合に、前記第２端末に対して、前記指定情報を配信する表示装置と、を備える、ことを特徴とする。
【００１９】
本発明では、表示装置から第２端末に対して、画像のサイズを指定する指定情報を配信するため、表示装置から第２端末に対して、画像自体を配信する場合と比較して、ネットワーク負荷を抑制することができる。
【００２０】
また、本発明に係る表示装置の制御方法は、画像の配信要求を出力する第１端末、及び、前記画像のサイズを指定する指定情報に基づいて前記画像を表示する第２端末、と通信可能な表示装置の制御方法であって、前記第１端末から前記画像の配信要求を受信した場合に、前記第２端末に対して、前記指定情報を配信する、ことを特徴とする。
【００２１】
本発明では、表示装置から第２端末に対して、画像のサイズを指定する指定情報を配信するため、表示装置から第２端末に対して、画像自体を配信する場合と比較して、ネットワーク負荷を抑制することができる。
【図面の簡単な説明】
【００２２】
【図１】本発明の実施形態に係る表示システムＳYSの一例を示す説明図である。
【図２】表示システムＳYSの構成の一例を示すブロック図である。
【図３】表示システムＳYSの動作の一例を示すシーケンスチャートである。
【図４】配信要求生成処理の一例を示すフローチャートである。
【図５】属性情報テーブルＴBLのデータ構成の一例を示す図である。
【図６】画像選択画面ＧSの一例を示す図である。
【図７】表示要求配信処理の一例を示すフローチャートである。
【図８】表示処理の一例を示すフローチャートである。
【発明を実施するための形態】
【００２３】
＜Ａ．実施形態＞
以下、図面を参考にしつつ本発明に係る実施の形態を説明する。なお、図面において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２４】
＜１．表示システムの概要＞
以下、本実施形態に係る表示システムＳYSの概要を説明する。
【００２５】
図１は、本実施形態に係る表示システムＳYSの一例を示す説明図である。
【００２６】
図１に示すように、表示システムＳYSは、教師端末１（「第１端末」の一例）と、複数の生徒端末２（「第２端末」の一例）と、プロジェクター５（「表示装置」の一例）と、を備える。
【００２７】
教師端末１は、例えば、パーソナルコンピューターであり、教師端末１の利用者（例えば、教師）が、教師端末１において所定の操作を行った場合に、プロジェクター５に対して、画像Ｉmgの配信要求ＳAを出力する。
プロジェクター５は、スクリーンや壁等の投射面ＳCに対して、画像Ｉmgを投射する。また、プロジェクター５は、教師端末１から出力された、画像Ｉmgの配信要求ＳAを受信した場合に、複数の生徒端末２の各々に対して、画像Ｉmgの表示要求ＳBを配信する。なお、本実施形態では、プロジェクター５が、教師端末１と有線通信を行い生徒端末２と無線通信を行う場合を例示して説明するが、本発明はこのような態様に限定されるものではなく、プロジェクター５と教師端末１及び生徒端末２との間の通信は、有線であっても無線であってもよい。
生徒端末２は、例えば、タブレット型コンピュータやスマートフォン等であり、プロジェクター５から、画像Ｉmgの表示要求ＳBを受信した場合に、画像Ｉmgを表示する。
【００２８】
なお、プロジェクター５が投射する画像Ｉmgのサイズ（縦方向及び横方向の画素数）と、生徒端末２が表示する画像Ｉmgのサイズ（縦方向及び横方向の画素数）と、は異なる場合がある。このため、以下では、両者を特に区別する必要がある場合には、プロジェクター５が投射する画像Ｉmgを、画像Ｉmg-Pと称し、生徒端末２が表示する画像Ｉmgを、画像Ｉmg-Tと称する場合がある。すなわち、画像Ｉmg-Tは、画像Ｉmg-Pを拡大若しくは縮小した画像、または、画像Ｉmg-Pと同一の画像のいずれかである。
【００２９】
図２は、本実施形態に係る表示システムＳYSの構成の一例を示すブロック図である。
【００３０】
図２に示すように、教師端末１は、教師端末１の各部を制御する制御部１０と、各種情報を記憶する記憶部１１と、ディスプレイ等、各種情報を表示する表示部１２と、キーボードやマウス等、利用者による操作を受け付けるための操作部１３と、プロジェクター５との間の通信を実行する通信部１４と、を備える。
【００３１】
記憶部１１は、例えば、ＲＡＭ（Random Access Memory）及びＲＯＭ（Read Only Memory）等を含んで構成され、教師端末１の制御プログラムと、画像Ｉmgを含む複数の画像の色彩や模様等を示す属性情報を記憶する属性情報テーブルＴBLと、を含む各種データを記憶している。本実施形態では、教師端末１の利用者が、属性情報テーブルＴBLに属性情報が記憶されている複数の画像の中から、生徒端末２において表示する画像Ｉmgを選択する場合を想定する。なお、以下では、属性情報テーブルＴBLに属性情報が記憶される画像を、候補画像ＧCと称する。
【００３２】
制御部１０は、ＣＰＵ（Central Processing Unit）等を含んで構成され、当該ＣＰＵ等が、記憶部１１に記憶された制御プログラムを実行し、当該制御プログラムに従って動作することで、各種機能を実現する。具体的には、制御部１０は、例えば、操作部１３において、複数の候補画像ＧCから画像Ｉmgを選択して当該画像Ｉmgの配信要求ＳAの出力を指示する操作（以下、「指示操作」と称する）が行われた場合に、配信要求ＳAを出力する。
【００３３】
図２に示すように、プロジェクター５は、プロジェクター５の各部を制御する制御部５０と、各種情報を記憶する記憶部５１と、スクリーンＳCに対して画像Ｉmg-Pを投射する投射部５２と、教師端末１との間の通信を実行する通信部５３と、各生徒端末２との間の通信を実行する通信部５４と、を備える。
【００３４】
記憶部５１は、例えば、ＲＡＭ及びＲＯＭ等を含んで構成され、プロジェクター５の制御プログラムと、属性情報テーブルＴBLと、を含む各種情報を記憶している。
【００３５】
制御部５０は、ＣＰＵ等を含んで構成され、当該ＣＰＵ等が、記憶部５１に記憶された制御プログラムを実行し、当該制御プログラムに従って動作することで、各種機能を実現する。具体的には、制御部５０は、例えば、教師端末１から出力された配信要求ＳAを受信した場合に、各生徒端末２に対して表示要求ＳBを配信するように、プロジェクター５の各部を制御する。すなわち、制御部５０は、記憶部５１に記憶された制御プログラムに従って動作することで、配信要求ＳAを受信するようにプロジェクター５の各部を制御する受信部５０１としての機能と、また、表示要求ＳBを配信するようにプロジェクター５の各部を制御する配信部５０２としての機能と、を実現する。
【００３６】
投射部５２は、例えば、光源（図示省略）と、複数の画素を有する透過型の液晶パネル（図示省略）と、を備え、液晶パネルの各画素が、光源から出射された光を、表示すべき画像Ｉmg-Pに応じた透過率で透過させることで、スクリーンＳCに対して画像Ｉmg-Pを投射する。
【００３７】
図２に示すように、生徒端末２は、生徒端末２の各部を制御する制御部２０と、各種情報を記憶する記憶部２１と、タッチパネル等、各種情報を表示するとともに利用者による操作を受け付けるための表示操作部２２と、プロジェクター５との間の通信を実行する通信部２３と、を備える。
【００３８】
記憶部２１は、例えば、ＲＡＭ及びＲＯＭ等を含んで構成され、生徒端末２の制御プログラムと、属性情報テーブルＴBLと、を含む各種情報を記憶している。すなわち、記憶部２１は、属性情報を記憶する「属性情報記憶部」の一例である。
【００３９】
制御部２０は、ＣＰＵ等を含んで構成され、当該ＣＰＵ等が、記憶部２１に記憶された制御プログラムを実行し、当該制御プログラムに従って動作することで、各種機能を実現する。具体的には、制御部２０は、例えば、プロジェクター５から出力された表示要求ＳBを受信した場合に、表示操作部２２が、当該表示要求ＳBに対応する画像Ｉmg-Tを表示するように、表示操作部２２を制御する。
【００４０】
＜２．表示システムの動作＞
以下、本実施形態に係る表示システムＳYSの動作を説明する。
【００４１】
図３は、本実施形態に係る表示システムＳYSの動作の概要を例示するシーケンスチャートである。
【００４２】
図３に示すように、教師端末１の制御部１０は、操作部１３における指示操作に応じて、画像Ｉmgの配信要求ＳAを生成し、生成した配信要求ＳAをプロジェクター５に対して送信するように教師端末１の各部を制御する（Ｓ１１）。なお、ステップＳ１１の処理を、配信要求生成処理と称する場合がある。
プロジェクター５の制御部５０は、教師端末１から送信された画像Ｉmgの配信要求ＳAを、通信部５３を介して受信すると（Ｓ２１）、画像Ｉmgの表示要求ＳBを生成し、生成した表示要求ＳBを各生徒端末２に対して配信するようにプロジェクター５の各部を制御する（Ｓ２２）。すなわち、制御部５０は、ステップＳ２１を実行する場合に、受信部５０１として機能し、ステップＳ２２を実行する場合に、配信部５０２として機能する。なお、ステップＳ２２の処理を、表示要求配信処理と称する場合がある。
生徒端末２の制御部２０は、プロジェクター５から送信された画像Ｉmgの表示要求ＳBを、通信部２３を介して受信すると（Ｓ３１）、当該画像Ｉmgを表示操作部２２に表示させる（Ｓ３２）。なお、以下では、ステップＳ３２の処理を、表示処理と称する場合がある。
【００４３】
以下、配信要求生成処理、表示要求配信処理、及び、表示処理の詳細について説明する。
【００４４】
図４は、ステップＳ１１において、教師端末１の制御部１０が実行する配信要求生成処理の一例を示すフローチャートである。制御部１０は、操作部１３において指示操作が開始されたことを検出した場合に、配信要求生成処理を開始させる。
【００４５】
図４に示すように、配信要求生成処理において、制御部１０は、属性情報テーブルＴBLに記憶されている候補画像ＧCの属性情報に基づいて、表示部１２に画像選択画面ＧSを表示させる（Ｓ１１１）。
【００４６】
図５は、属性情報テーブルＴBLのデータ構成の一例を示す図である。
図５に示すように、属性情報テーブルＴBLは、候補画像ＧCを一意に識別するための画像ＩＤと、候補画像ＧCの属性情報と、を対応付けて記憶している。本実施形態において、属性情報は、候補画像ＧCの色彩を示す色彩情報と、候補画像ＧCの模様に関する情報である模様情報と、候補画像ＧCの名称を示す画像名称と、を含むこととする。
なお、本実施形態では、一例として、模様情報が、候補画像ＧCの模様を表す模様ファイルの格納場所を示す情報である場合を想定する。また、本実施形態では、候補画像ＧCが無地であり模様が無いために、当該候補画像ＧCの模様情報が不要な場合には、当該候補画像ＧCに対応する模様情報が存在しない（Null値を示す）こととする。また、本実施形態では、候補画像ＧCの模様情報が、当該候補画像ＧCの模様及び色彩の両方を表すために、当該候補画像ＧCの色彩情報が不要な場合には、当該候補画像ＧCに対応する色彩情報が存在しない（Null値を示す）こととする。
【００４７】
図６は、表示部１２に表示された画像選択画面ＧSの一例を示す図である。制御部１０は、属性情報テーブルＴBLに記憶されている属性情報に基づいて、表示部１２に画像選択画面ＧSを表示させる。
具体的には、制御部１０は、属性情報テーブルＴBLに記憶されている属性情報に基づいて、画像選択画面ＧSの表示エリアＡr1において、属性情報テーブルＴBLに格納されている複数の候補画像ＧCと、各候補画像ＧCの名称と、が表示されるように、表示部１２を制御する。また、制御部１０は、画像選択画面ＧSにおいて、複数の候補画像ＧCと１対１に対応するように設けられ複数の候補画像ＧCの中から一の候補画像ＧCを選択するための複数のラジオボタンＢTrと、複数の候補画像ＧCが表示される表示エリアＡr1をスクロールさせるためのスクロールボタンＢT1と、ラジオボタンＢTrにより選択した一の候補画像ＧCのサイズを入力ための入力エリアＡr21及びＡr22と、画像選択画面ＧSにおいて入力した内容を確定するための確定ボタンＢT2と、が表示されるように、表示部１２を制御する。
教師端末１の利用者は、画像選択画面ＧSにおいて、ラジオボタンＢTrにより、複数の候補画像ＧCの中から画像Ｉmgを選択することができ、また、入力エリアＡr21及びＡr22により、選択した画像Ｉmgのサイズを指定することができる。
【００４８】
なお、本実施形態に係る画像選択画面ＧSでは、ラジオボタンＢTrによる選択をせず、且つ、入力エリアＡr21及びＡr22への入力をすることなく、確定ボタンＢT2を押下することができることとする。
【００４９】
説明を、図４に戻す。
図４に示すように、制御部１０は、画像選択画面ＧSの確定ボタンＢT2が押下された場合に、ラジオボタンＢTrによる候補画像ＧCの選択がなされたか否かを判定する（Ｓ１１２）。また、制御部１０は、ステップＳ１１２の判定結果が肯定である場合、入力エリアＡr21及びＡr22に画像Ｉmgのサイズが入力されたか否かを判定する（Ｓ１１３）。
そして、制御部１０は、ステップＳ１１３の判定結果が肯定である場合、画像選択画面ＧSのラジオボタンＢTrにより選択された候補画像ＧCの画像ＩＤと、入力エリアＡr21及びＡr22に入力された画像Ｉmgのサイズと、を取得する（Ｓ１１４）。次に、制御部１０は、ラジオボタンＢTrにより選択された候補画像ＧCの画像ＩＤを示す識別情報ＲAと、入力エリアＡr21及びＡr22に入力された画像Ｉmgのサイズを示す指定情報ＱAと、を含む画像Ｉmgの配信要求ＳAを生成する（Ｓ１１５）。
また、制御部１０は、ステップＳ１１３の判定結果が否定である場合、ラジオボタンＢTrにより選択された候補画像ＧCの画像ＩＤを取得する（Ｓ１１６）。次に、制御部１０は、ラジオボタンＢTrにより選択された候補画像ＧCの画像ＩＤを示す識別情報ＲAを含み、指定情報ＱAを含まない、配信要求ＳAを生成する（Ｓ１１７）。
また、制御部１０は、ステップＳ１１２の判定結果が否定である場合、識別情報ＲA及び指定情報ＱAを含まない、配信要求ＳAを生成する（Ｓ１１８）。
そして、制御部１０は、ステップＳ１１５、Ｓ１１７、または、Ｓ１１８で生成した、画像Ｉmgの配信要求ＳAを、通信部１４を介してプロジェクター５に送信する（Ｓ１１９）。
【００５０】
次に、ステップＳ２２において、プロジェクター５の制御部５０が実行する表示要求配信処理について説明する。
【００５１】
本実施形態に係る制御部５０は、表示要求配信処理において、複数の配信モードにより、画像Ｉmgの表示要求ＳBを配信することができる。具体的には、制御部５０は、教師端末１において指定された画像ＩＤ、及び、プロジェクター５が投射する画像Ｉmg-Pのサイズを、表示要求ＳBとして配信する、投射サイズ配信モード（「第１配信モード」の一例）と、プロジェクター５が投射する画像Ｉmg-Pを示す画像情報ＤIを、表示要求ＳBとして配信する、画像データ配信モード（「第２配信モード」の一例）と、教師端末１において指定された画像ＩＤ、及び、教師端末１において指定された画像Ｉmg-Tのサイズを、表示要求ＳBとして配信する、指定サイズ配信モードと、の３つの配信モードにより、表示要求ＳBの配信が可能である。ここで、画像情報ＤIとは、画像Ｉmg-Pを表示するために投射部５２の液晶パネルの各画素が表示すべき階調を指定する情報である。
以下、図７を参照しつつ、表示要求配信処理における制御部５０の動作を説明する。
【００５２】
図７は、表示要求配信処理の一例を示すフローチャートである。プロジェクター５の制御部５０は、制御部１０から送信された画像Ｉmgの配信要求ＳAを受信した場合に、表示要求配信処理を開始させる。
【００５３】
図７に示すように、表示要求配信処理において、制御部５０は、配信要求ＳAに識別情報ＲAが含まれるか否かを判定する（Ｓ２２１）。また、制御部５０は、ステップＳ２２１の判定結果が肯定である場合、配信要求ＳAに指定情報ＱAが含まれるか否かを判定する（Ｓ２２２）。
そして、制御部５０は、ステップＳ２２２の判定結果が肯定である場合、識別情報ＲAと指定情報ＱAとを含む、画像Ｉmgの表示要求ＳBを生成する（Ｓ２２３）。
また、制御部５０は、ステップＳ２２２の判定結果が否定である場合、識別情報ＲAと指定情報ＱBとを含む、画像Ｉmgの表示要求ＳBを生成する（Ｓ２２４）。ここで、本実施形態において、指定情報ＱBとは、プロジェクター５の投射部５２が投射している画像Ｉmg-Pのサイズを示す情報である。より具体的には、本実施形態において、指定情報ＱBは、プロジェクター５の投射部５２が投射している画像Ｉmg-Pの縦方向の画素数と横方向の画素数とを示す。
また、制御部５０は、ステップＳ２２１の判定結果が否定である場合、画像情報ＤIを含む、画像Ｉmgの表示要求ＳBを生成する（Ｓ２２５）。
【００５４】
そして、制御部５０は、ステップＳ２２３、Ｓ２２４、または、Ｓ２２５で生成した、画像Ｉmgの表示要求ＳBを、通信部５４を介して各生徒端末２に配信する（Ｓ２２６）。
すなわち、制御部５０は、表示要求配信処理において、ステップＳ２２３を実行することで、教師端末１において指定された画像ＩＤを示す識別情報ＲAと、教師端末１において指定された画像Ｉmgのサイズを示す指定情報ＱAと、を含む表示要求ＳBを配信する、指定サイズ配信モードと、ステップＳ２２４を実行することで、教師端末１において指定された画像ＩＤを示す識別情報ＲAと、プロジェクター５が投射する画像Ｉmg-Pのサイズを示す指定情報ＱBと、を含む表示要求ＳBを配信する、投射サイズ配信モードと、ステップＳ２２５を実行することで、プロジェクター５が投射する画像Ｉmg-Pを示す画像情報ＤIを含む表示要求ＳBを配信する、画像データ配信モードと、の３つの配信モードにより、各生徒端末２に対して表示要求ＳBを配信することができる。
【００５５】
次に、ステップＳ３２において生徒端末２の制御部２０が実行する表示処理について説明する。
【００５６】
図８は、表示処理の一例を示すフローチャートである。生徒端末２の制御部２０は、プロジェクター５から送信された画像Ｉmgの表示要求ＳBを受信した場合に、表示処理を開始させる。
【００５７】
図８に示すように、表示処理において、制御部２０は、表示要求ＳBに画像情報ＤIが含まれるか否かを判定する（Ｓ３２１）。また、制御部２０は、ステップＳ３２１の判定結果が否定である場合、表示要求ＳBに指定情報ＱBが含まれるか否かを判定する（Ｓ３２２）。
そして、制御部２０は、ステップＳ３２２の判定結果が肯定である場合、すなわち、表示要求ＳBが識別情報ＲAと指定情報ＱBとを含む場合、記憶部２１に記憶されている属性情報と、表示要求ＳBに含まれる指定情報ＱBとに基づいて、画像情報ＤIを生成する（Ｓ３２３）。より具体的には、制御部２０は、ステップＳ３２３において、まず、記憶部２１に格納された属性情報テーブルＴBLに記憶されている複数の候補画像ＧCの属性情報の中から、表示要求ＳBに含まれる識別情報ＲAの示す画像ＩＤに対応する候補画像ＧCの属性情報を取得する。次に、制御部２０は、当該取得した属性情報に含まれる色彩情報及び模様情報により規定される画像を、表示要求ＳBに含まれる指定情報ＱBの示すサイズに拡大または縮小することで、画像情報ＤIを生成する。
また、制御部２０は、ステップＳ３２２の判定結果が否定である場合、すなわち、表示要求ＳBが識別情報ＲAと指定情報ＱAとを含む場合、記憶部２１に記憶されている属性情報と、表示要求ＳBに含まれる指定情報ＱAとに基づいて、画像情報ＤIを生成する（Ｓ３２４）。より具体的には、制御部２０は、ステップＳ３２４において、まず、記憶部２１に格納された属性情報テーブルＴBLに記憶されている複数の候補画像ＧCの属性情報の中から、表示要求ＳBに含まれる識別情報ＲAの示す画像ＩＤに対応する候補画像ＧCの属性情報を取得する。次に、制御部２０は、当該取得した属性情報に含まれる色彩情報及び模様情報により規定される画像を、表示要求ＳBに含まれる指定情報ＱAの示すサイズに拡大または縮小することで、画像情報ＤIを生成する。
なお、本実施形態では、説明の便宜上、制御部２０が、指定情報ＱAと指定情報ＱBとを区別することとしているが、制御部２０は、指定情報ＱAと指定情報ＱBとを区別しなくてもよい。
また、制御部２０は、ステップＳ３２１の判定結果が肯定である場合には、プロジェクター５から送信された表示要求ＳBに含まれる画像情報ＤIの示す画像Ｉmg-Pを、表示操作部２２に表示するように、表示操作部２２を制御し、他方、ステップＳ３２１の判定結果が否定である場合には、ステップＳ３２３またはＳ３２４において生成した画像情報ＤIの示す画像Ｉmgを、表示操作部２２に表示するように、表示操作部２２を制御する（Ｓ３２５）。
【００５８】
このように、制御部２０は、プロジェクター５が指定サイズ配信モードにより表示要求ＳBを配信した場合には、教師端末１において指定されたサイズの画像Ｉmgを表示操作部２２に表示させ、プロジェクター５が投射サイズ配信モードにより表示要求ＳBを配信した場合には、プロジェクター５の投射する画像Ｉmg-Pと同じサイズの画像Ｉmg-Tを表示操作部２２に表示させ、プロジェクター５が画像データ配信モードにより表示要求ＳBを配信した場合には、プロジェクター５が投射する画像Ｉmg-Pと同一の画像Ｉmg-Tを表示操作部２２に表示させる。
【００５９】
＜３．実施形態の効果＞
以上において説明したように、本実施形態では、プロジェクター５が、画像データ配信モードの他に、投射サイズ配信モードと、指定サイズ配信モードとによる表示要求ＳBの配信が可能である。このため、例えば、プロジェクター５が画像データ配信モードのみを有する場合、すなわち、プロジェクター５が画像Ｉmg自体を配信する場合と比較して、プロジェクター５と各生徒端末２との間のネットワーク負荷を軽減することが可能となる。
【００６０】
また、本実施形態では、プロジェクター５が投射サイズ配信モード及び指定サイズ配信モードを有するため、プロジェクター５が投射サイズ配信モードまたは指定サイズ配信モードの一方のみを有する場合と比較して、生徒端末２に表示させる画像Ｉmgのサイズを柔軟に変更することが可能となり、また、プロジェクター５と各生徒端末２との間のネットワーク負荷に応じた表示要求ＳBの配信が可能となる。
【００６１】
＜Ｂ．変形例＞
以上の各形態は多様に変形され得る。具体的な変形の態様を以下に例示する。以下の例示から任意に選択された２以上の態様は相互に矛盾しない範囲内で適宜に併合され得る。
【００６２】
＜変形例１＞
上述した実施形態において、プロジェクター５は、表示要求ＳBを生徒端末２に対して配信するが、本発明はこのような態様に限定されるものではなく、プロジェクター５は、表示要求ＳBを生徒端末２に加えて教師端末１に対して配信してもよい。この場合、教師端末１の利用者は、教師端末１において、生徒端末２に表示される画像を確認することができる。
【００６３】
＜変形例２＞
上述した実施形態及び変形例において、プロジェクター５は、投射サイズ配信モード、画像データ配信モード、及び、指定サイズ配信モードの、３つの配信モードにより、表示要求ＳBの配信が可能であるが、本発明はこのような態様に限定されるものではなく、プロジェクター５は、少なくとも１つの配信モードにより表示要求ＳBを配信することができればよい。
【００６４】
例えば、プロジェクター５は、配信モードとして、投射サイズ配信モードのみを有するものであってもよい。この場合、制御部１０は、配信要求生成処理において、図４に示すステップＳ１１１〜Ｓ１１９のうち、少なくとも、ステップＳ１１８及びＳ１１９を実行可能であればよい。また、この場合、制御部５０は、表示要求配信処理において、図７に示すステップＳ２２１〜Ｓ２２６の代わりに、少なくとも指定情報ＱBを含む表示要求ＳBを配信可能であればよい。また、この場合、制御部２０は、表示処理において、図８に示すステップＳ３２１〜Ｓ３２５の代わりに、少なくとも、ステップＳ３２３及びＳ３２５を実行可能であればよい。
【００６５】
＜変形例３＞
上述した実施形態及び変形例において、プロジェクター５は、投射サイズ配信モード、画像データ配信モード、及び、指定サイズ配信モードの、３つの配信モードのうちの、少なくとも一部の配信モードにより表示要求ＳBの配信が可能であるが、本発明はこのような態様に限定されるものではなく、プロジェクター５は、投射サイズ配信モード、画像データ配信モード、及び、指定サイズ配信モードとは異なる配信モードにより、表示要求ＳBを配信することができるものであってもよい。
【００６６】
例えば、プロジェクター５は、配信モードとして、プロジェクター５が投射する画像Ｉmg-Pを示す画像情報ＤIと、教師端末１において指定された画像Ｉmgのサイズを示す指定情報ＱAと、を含む表示要求ＳBを配信する、サイズ指定画像データ配信モードにより、表示要求ＳBを配信可能であってもよい。この場合、生徒端末２は、プロジェクター５が投射する画像Ｉmg-Pを、教師端末１において指定されたサイズで表示してもよい。また、この場合、教師端末１の制御部１０は、配信要求生成処理において、少なくとも指定情報ＱAを含む配信要求ＳAを送信可能であればよい。
【００６７】
＜変形例４＞
上述した実施形態及び変形例において、プロジェクター５は、投射サイズ配信モード及び画像データ配信モードにおいて、画像Ｉmg-Pのサイズを示す指定情報ＱBまたは画像情報ＤIを配信するが、本発明はこのような態様に限定されるものではなく、プロジェクター５は、画像Ｉmg-Pとは異なるサイズを示す指定情報ＱBまたは画像情報ＤIを配信してもよい。例えば、プロジェクター５は、生徒端末２に表示すべき画像Ｉmgのサイズを記憶部５１に記憶させておき、当該記憶部５１に記憶しているサイズを示す指定情報ＱBまたは画像情報ＤIを配信してもよい。
【００６８】
＜変形例５＞
上述した実施形態及び変形例において、属性情報は、色彩情報、模様情報、及び、画像名称を含むが、本発明はこのような態様に限定されるものではなく、属性情報は、色彩情報、模様情報、及び、画像名称のうち、少なくとも１つを含めばよい。
【００６９】
＜変形例６＞
上述した実施形態及び変形例において、プロジェクター５には、配信要求ＳAを受信する通信部５３とは別個に、表示要求ＳBを送信する通信部５４が設けられているが、本発明はこのような態様に限定されるものではなく、プロジェクター５は、配信要求ＳAの受信と、表示要求ＳBの送信と、を同一の通信部により実行してもよい。
【００７０】
＜変形例７＞
上述した実施形態及び変形例では、教師による管理の下で、複数名の生徒が同一の画像を閲覧する場合を想定したが、本発明は、複数端末に同一の画像を表示させる場合に適宜適用可能である。例えば、所定の会議において、司会者の説明する資料を示す画像を、複数の聴衆が閲覧する場合に適用してもよい。この場合、第１端末は、司会者の使用する端末であり、第２端末は、各聴衆の使用する端末となる。
【符号の説明】
【００７１】
１…教師端末、１０…制御部、１１…記憶部、１２…表示部、１３…操作部、１４…通信部、２…生徒端末、２０…制御部、２１…記憶部、２２…表示操作部、２３…通信部、５…プロジェクター、５０…制御部、５１…記憶部、５２…投射部、５３…通信部、５４…通信部、５０１…受信部、５０２…配信部、ＳC…スクリーン、ＳYS…表示システム。
【図１】
0006801252.tif 000002
【図２】
0006801252.tif 000003
【図３】
0006801252.tif 000004
【図４】
0006801252.tif 000005
【図５】
0006801252.tif 000006
【図６】
0006801252.tif 000007
【図７】
0006801252.tif 000008
【図８】
0006801252.tif 000009